(57)【特許請求の範囲】
【請求項１】
光入射面と光出射面を有した採光板と、この採光板で採光した光を建物の開口部から屋内に照射する光照射部と、前記採光板から前記光照射部に前記光を伝送する伝送部と、前記採光板と前記伝送部を光学的に連結する連結部とを備え、
前記採光板は、屋外側を向く板面を前記光入射面とし、四周の一端面を前記光出射面とする矩形状のものであり、
前記伝送部は、前記建物用の外壁材の屋内側となる部位に配置されるものであり、
前記連結部は、前記採光板の前記光出射面と略同形同寸の一端面を有するフレキシブルな透明板である
ことを特徴とする採光装置。
【請求項２】
前記連結部及び前記連結部と前記採光板との接続部位を覆うカバー部を、さらに備え、
前記カバー部がその下端で前記外壁材の上端を覆って配置されるものである
ことを特徴とする請求項１に記載の採光装置。
【請求項３】
前記建物用の棟部材を、前記カバー部に用いるものである
ことを特徴とする請求項２に記載の採光装置。
【請求項４】
前記カバー部が、前記建物の棟の少なくとも一部を覆って配置されるものである
ことを特徴とする請求項２に記載の採光装置。
【発明の詳細な説明】
【技術分野】
【０００１】
本発明は、太陽光等を採光する採光装置に関するものである。
【背景技術】
【０００２】
従来から、採光装置として、特許文献１に示すように、導光フィルムを用いた装置がある。この装置では、導光フィルムが、可撓性を持つ透明フィルムからなる。そして、透明フィルムは、その長手方向の一部の一側面に光導入手段が設けられ、他の部分の一側面に光出射手段が設けられ、その間の中間部の両面が平滑面となっている。これによって、この装置では、光導入手段で透明フィルム内部に導入された光が、中間部を経て、光出射手段に導かれ、光出射手段より外部に出射される。そして、光導入手段は家屋の屋根上に設置され、光出射手段は屋内に設置され、中間部は屋根と屋内とを繋ぐように家屋の壁や屋根（天井）に貫通して設置される。
【０００３】
また、採光装置としては、特許文献２に示すように、光ファイバーの束で日光を室内に取り込む装置がある。この装置では、家屋の屋根にグラスファーバー（光ファイバー）の束の一端を設置し、他端を室内の天窓のガラスに取り付けてある。これによって、この装置では、光ファイバーの一端で受けた光を天窓から室内に導いている。
【先行技術文献】
【特許文献】
【０００４】
【特許文献１】特開２００３−２１５３４８号公報
【特許文献２】実開昭６２−３７１０４号公報
【発明の概要】
【発明が解決しようとする課題】
【０００５】
ところで、特許文献１や特許文献２等の採光装置では、導光フィルムや光ファイバーの束等の光を伝送する部位（伝送部）が外観に露出して設けてある。そのため、このような採光装置では、化粧パネル等で一体感を与えた既設の外壁が、伝送部によって違和感のある（一体感をえ難い）外観になる恐れがある。そして、このような従来の採光装置では、伝送部が外観に露出するために、風で巻き上がった砂等の異物が伝送部に接触したり付着したりし易く、これによる伝送部の破損等で導光効率の低下を生じる恐れもある。
【０００６】
更に、特許文献１の採光装置では、中間部（伝送部）が建物の屋内外に貫通して設けてあるために、施工時に屋内外を貫通する貫通孔を形成したり、貫通孔や伝送部を介した漏水を防止するために防水構造をさらに設けたりすることになる。そのため、この採光装置では、建物の強度低下の恐れや、施工時に手間がかかり易くなる等の問題がある。また、特許文献２の採光装置では、光ファイバー毎に点で採光するために、前記一端を面状に配置しても、光ファイバー間の境界等の非採光部位の占める面積当たりの割合が多くなり易く、採光効率があまり高くない。
【０００７】
そこで、本発明は、前記従来の問題点に鑑みて発明したものである。その目的とするところは、屋内外を貫通する貫通孔等を形成せずに、採光装置の設置に伴う建物の外観性（美観）の低下を軽減して、導光効率の低下を抑制し且つ採光効率を向上し易くした採光装置を提供することにある。
【課題を解決するための手段】
【０００８】
上記課題を解決するために、本発明は、光入射面と光出射面を有した採光板と、この採光板で採光した光を建物の開口部から屋内に照射する光照射部と、前記採光板から前記光照射部に前記光を伝送する伝送部と、前記採光板と前記伝送部を光学的に連結する連結部とを備え、前記採光板は、屋外側を向く板面を前記光入射面とし、四周の一端面を前記光出射面とする矩形状のものであり、前記伝送部は、前記建物用の外壁材の屋内側となる部位に配置されるものであり、前記連結部は、前記採光板の前記光出射面と略同形同寸の一端面を有するフレキシブルな透明板であることを特徴とする。
【０００９】
この採光装置として、前記連結部及び前記連結部と前記採光板との接続部位を覆うカバー部を、さらに備え、前記カバー部がその下端で前記外壁材の上端を覆って配置されるものであることが好ましい。
【００１０】
この採光装置として、前記建物用の棟部材を、前記カバー部に用いるものであることが好ましい。
【００１１】
この採光装置として、前記カバー部が、前記建物の棟の少なくとも一部を覆って配置されるものであることが好ましい。
【発明の効果】
【００１２】
本発明は、前記構成を備えたことで、光ファイバー等の点で採光するものに比べて、太陽光等の自然光を広い面積で採光することができる。これによって、本発明は、点で採光するものに比べて、採光効率を向上し易くすることができる。そして、本発明は、伝送部を外壁の屋内側に配置したことで、内壁や屋内の天井等に屋内外を貫通する貫通孔を形成せずにすみ、屋内への漏水や貫通孔等の形成に伴う強度低下や施工の手間の増加等の恐れを軽減し易くすることができる。更に、本発明は、前記構成によって、伝送部を外壁の外面で覆い隠して、伝送部を外観に露出し難くすることができる。これによって、本発明は、砂等の異物による伝送部の導光効率の低下を抑制することができる。また、本発明は、伝送部を外観に露出し難くしたことで、採光装置設置に伴う建物の既設の外観からの変化を軽減し易くすることができて、外観性（美観）の低下を軽減し易くすることができる。
【図面の簡単な説明】
【００１３】
【図１】第１例の採光装置の模式的な正面図である。
【図２】（ａ）が同上の採光装置を設けた建物の模式的な斜視図であり、（ｂ）が外装パネルを透過した状態の模式的な斜視図である。
【図３】採光部の斜視図である。
【図４】（ａ）が透光抑制部にプリズム構造を用いた場合の図３のＭ−Ｍ線の断面図であり、（ｂ）が図３（ａ）の変形例であり、（ｃ）が透光抑制部に光拡散構造を用いた場合の断面図である。
【図５】連結部周辺の模式的な正面図である。
【図６】図５の変形例の模式的な正面図である。
【図７】伝送部に導光板を用いた場合の模式的な側断面図である。
【図８】光照射部の正面図であり、（ａ）がルーバーを用いた場合であり、（ｂ）が反射フィルムを用いた場合であり、（ｃ）が導光板を用いた場合である。
【図９】採光部が導光板を複数有した場合であり、採光部の一部を拡大した断面図である。
【発明を実施するための形態】
【００１４】
本発明を、添付図面に示す一実施形態に基づいて説明する。
【００１５】
本実施形態の採光装置１は、例えば、太陽光等の自然光を採光する。そして、この採光装置１は、図１乃至図２に示すように、採光部２と、連結部１０と、伝送部１１と、光照射部１５と、カバー部２０とを備える。採光装置１は、図５乃至図８に示すように、採光部２が建物３０の屋根３１に配置され、連結部１０及びカバー部２０が棟に配置され、伝送部１１が建物３０の外壁材３３に配置され、光照射部１５が建物３０の開口部３５に配置される。建物３０は、例えば、屋根３１が一方向に傾斜（勾配）を有しており、所謂片流れ屋根の建物になっている。具体的には、例えば、日本国等の北半球の場合、南側程下向きに傾斜（勾配）を付けた屋根３１を有する建物３０になっている。
【００１６】
採光部２は、図３に示すように、略矩形状になっている。採光部２は、矩形の底面を屋根３１の勾配と略平行にして、この底部を載置する等で、屋根３１に取り付けてある。そして、採光部２は、略矩形の導光板４と、この導光板４を覆う矩形箱状の反射部８とを備える。
【００１７】
導光板４は、内部で導光可能な透明材で形成してある。この透明材としては、例えば、ポリメタクリル酸メチル樹脂（ＰＭＭＡ）等のアクリル樹脂や、ポリカーボネート（ＰＣ）等が好適に用いられる。なお、後述の伝送部１１や光照射部１５等の導光板１３，１８も、前記透明材を好適に用いることができる。
【００１８】
また、導光板４は、図３や図４に示すように、第１板面４ａが屋外側を向き、反対側の第２板面４ｂが屋根３１（屋内側）を向く。第１板面４ａは、略平らな面になっている。そして、第１板面４ａは略全体が、導光板４内に光を取り込む光入射面３ａになっており、第１板面４ａの略全体で導光板４内に光を入射可能になっている。言い換えると、導光板４は、光入射面３ａを有した採光板３になっている。
【００１９】
これによって、採光部２は、面で採光を行うことができて、集光部材等で太陽光を集めなくても、採光を行い易くすることができる。そのため、採光装置１は、集光部等で点状の採光部位に太陽光を集める光ファイバー等の点で採光を行う場合に比べて、簡素な構成で採光部２の採光効率を向上し易くすることができる。
【００２０】
言い換えると、採光装置１は、採光可能な領域を面で有する採光部２を備えるため、光ファイバー（点状の採光部位）を束ねる等で採光可能な領域を形成したものに比べて、この領域における採光部毎の境界線等（非採光部位）を生じ難くすることができる。これによって、採光装置１は、例えば前記非採光部位に光が入射する等で採光部２内に光が入射し難くなる等の、採光時の損失を軽減し易くすることができて、採光効率を向上し易くすることができる。
【００２１】
また、採光板３（導光板４）は、図４に示すように、第２板面４ｂ側に、採光板３内の光の採光板３外への透過を抑制する透光抑制部５が設けてある。そのため、採光板３は、内部の光が第２板面４ｂ側から出射し難くなっている。これによって、採光装置１は、第２板面４ｂからの出射による採光部２の集光効率の低下を抑制し易くすることができる。そして、透光抑制部５の具体的な構成例としては、例えば、図４（ａ）に示すように、第２板面４ｂにプリズム構造を設けたものや、図４（ｃ）に示すように、光拡散構造を設けたもの等がある。
【００２２】
プリズム構造の場合では、例えば、図４（ａ）に示すように、複数の突起６（プリズム）が第２板面４ｂに一体で且つ略同じ部材で設けてある。突起６は集光方向（導光方向）に沿って略等間隔で並ぶ。そして、突起６は正面視略直角三角形状になっており、斜辺が集光方向に向けて下り傾斜（第１板面４ａから離れる向きに傾斜）する。
【００２３】
そのため、透光抑制部５は、採光板３内の光を突起６の傾斜面６ａ（斜辺に沿った面）で反射等させることで、この光を集光方向側に向かい易くすることができる。これによって、採光部２は、採光板３の第２板面４ｂ側に透光抑制部５が無い場合に比べて、集光効率（後述の光出射面３ｂへの光の導入効率）を向上し易くすることができる。
【００２４】
更に、図４（ｂ）に示すプリズム構造の変形例では、突起６の前記斜辺に段部６ｂが設けてある。段部６ｂは前記略直角三角形の斜辺（傾斜面６ａ）の傾きと異なる傾斜角度の斜辺（傾斜面）、或いは第１板面４ａに略平行した辺（非傾斜面）になっている。これによって、採光板３は、突起６の第２板面４ｂ側における突出量を抑えて集光方向の寸法を大きくすることができる。そのため、採光部２は、透光抑制部５での集光効率の低下を抑制して、第２板面４ｂ上の突起６の数を削減したり、第２板面４ｂを反射部８（詳細は後述する）に近づけてコンパクトにしたりし易くすることができる。
【００２５】
光拡散構造の場合では、例えば、図４（ｃ）に示すように、第２板面４ｂに所定の間隔で、光を拡散させる光拡散印刷部７が設けてある。光拡散印刷部７は、採光板３内の光が照射されると、この光を採光板３内に拡散させる。これによって、採光板３は、光拡散印刷部７（第２板面４ｂ）から採光板３外への透光を抑制し易くすることができる。そのため、採光板３は、採光板３の第２板面４ｂ側に透光抑制部５が無い場合に比べて、第２板面４ｂ側から透光し難くなり、集光効率を向上し易くすることができる。
【００２６】
また、採光板３は、図３に示すように、四周の一端面が、連結部１０に光を出射する光出射面３ｂになっている。そして、採光板３は、第２板面４ｂと、光出射面３ｂを除く四周の他の端面とが、反射部８で覆われている。更に、採光板３は、反射部８を介して屋根３１に支持される。反射部８は、箱の底部の屋内側の面を屋根３１に載置する等で、屋根３１に取り付けられる。言い換えると、反射部８は、上面及び四周の一端面が開口した箱状になっている。そして、反射部８は、採光板３の第１板面４ａ（光入射面３ａ）及び光出射面３ｂを露出した状態で支持する。更に、反射部８は、箱の底部の屋内側を向く面が、採光部２を屋根３１に取り付ける採光部２の底面になっている。
【００２７】
更に、反射部８は箱の内面の略全体が、反射面８ａになっている。これによって、採光装置１は、光出射面３ｂ以外の端面及び第２板面４ｂから漏れた光を、反射部８で反射して採光板３に戻り易くすることができる。そのため、採光装置１は、採光板３での採光効率（集光効率）を向上し易くすることができる。なお、反射部８の反射面８ａは、例えば、アルミニウムの蒸着や、酸化チタン等での塗装、所謂白塗装や、鏡面金属等の鏡面部材の取付や、鏡面メッキ等によって、鏡面状に形成することが好ましい。
【００２８】
連結部１０は、図５や図６に示すように、フレキシブル（軟質）で且つ内部で導光可能な透明板で形成してあり、この透明板は、例えば、透明な軟質ウレタン等となっている。そして、透明板は、例えば、二つの端面（後述の上流端面及び下流端面）を除く他の面が反射面になっており、前記二つの端面以外から光漏れを抑制してある。また、連結部１０は、内部に鏡面部を有した光ダクトで形成してもよい。この鏡面部は、例えば、前述の反射面８ａのように、光を反射可能な鏡面状の部位になっており、光ダクトの内面の略全体に設けてある。なお、後述の伝送部１１の光ダクト１２も、連結部１１の光ダクトの構成を好適に用いることができる。
【００２９】
そして、連結部１０は、透明板の一端面（光ダクトの一端部の開口面）が、採光板３の光出射面３ｂと略同形同寸になっており、光出射面３ｂに正対して位置する。そして、連結部１０は、前記一端面（前記開口面）が、光出射面３ｂと光学的に接続してある。
【００３０】
これによって、連結部１０は、前記一端面（前記開口面）から内部に光出射面３ｂからの光が導入される。言い換えると、連結部１０は、前記一端面（前記開口面）が、導光における上流端面になっており、この上流端面で採光板３からの光を受ける（受光する）。そして、連結部１０は、上流端面で受けた光を内部での反射や拡散等によって、上流端面と異なる透明板の他の端面（光ダクトの他の端部の開口面）に伝送する。連結部１０は、この上流端面からの光が伝送される透明板の前記他の端面（光ダクトの前記他の端部の開口面）が、導光における下流端面になっている。
【００３１】
更に、連結部１０はこの下流端面に、伝送部１１が光学的に接続してある。そして、連結部１０は、この下流端面から内部の光を、伝送部１１に導出する（出射する）。言い換えると、連結部１０は、採光部２からの光を、内部で伝送して、伝送部１１に導入する。
【００３２】
伝送部１１は、例えば、光ダクト１２（図５や図６参照）や、導光板１３（図７参照）等で形成してあり、上下に長尺になっている。伝送部１１は、光ダクト１２の上端部の開口面（導光板１３の上端面）が、連結部１０からの光を受光する受光面１１ａになっている。受光面１１ａは連結部１０の下流端面と略同形同寸或いは下流端面より大形大寸になっており、連結部１０の下流端面が正対して位置する。そして、伝送部１１は、受光面１１ａと連結部１０の下流端面とが光学的に接続してある。
【００３３】
そして、伝送部１１は、採光板３（連結部１０）からの光を面（受光面１１ａ）で受けることで、内部に前記光が導入される。更に、伝送部１１は、導入された光を、内部で反射等させることで、光ダクト１２の下端部の開口面（導光板１３の下端面）に伝送して、この開口面（下端面）から伝送した光を光照射部１５に供給する。
【００３４】
このように、採光装置１は、採光部２で面状に受けた光を、面状の状態で、連結部１０を介して、伝送部１１に導入している。言い換えると、採光装置１は、採光板３からの光を面状に伝送する。これによって、採光装置１は、光ファイバー等の点で受光して伝送する場合に比べて、連結部１０や伝送部１１での受光時のロス等を軽減し易くすることができて、受光効率を向上し易くすることができる。そして、採光装置１は、前記点で伝送する場合に比べて連結部１０や伝送部１１内部の広い領域で光を伝送することができるため、内部での光拡散や反射による伝送ロス等を軽減し易くすることができて、光の伝送効率を向上し易くすることができる。以下、伝送部１１において、光ダクト１２の下端部の開口面や、導光板１３の下端面を、伝送部１１の出光面１１ｂとする。
【００３５】
伝送部１１は、図３乃至図７に示すように、外壁（外壁材３３）内に設けてある。具体的には、外壁が、複数の外壁材３３を有しており、外壁材３３は、外壁の外面３３ａを形成する外装パネル３４を夫々有する。外装パネル３４は、例えば、矩形の板状で、板面が上下に長尺になっている。外装パネル３４は、板面を建物３０の内壁３２に略平行にして、板の端面を隣接して並べて設けられる。そして、外装パネル３４は、内壁３２から屋外側に所定の間隔離れた位置で、内壁３２の略全面を屋外側から覆っている。そのため、外装パネル３４は屋外側を向く板面（表面）が、外壁（外壁材３３）の外面３３ａになっている。
【００３６】
更に、外装パネル３４は、建物３０の開口部３５に設けた窓部３６より屋外側に位置する。そして、外装パネル３４は下端が、正面視開口部３５の上部に重なって位置する。言い換えると、窓部３６は、建物３０の内壁３２に設けてあり、外壁（外壁材３３）は内壁３２より屋外側に設けてある。そして、外壁（外壁材３３）は開口部３５の上端より下方に外装パネル３４の下端が位置する。
【００３７】
一部の外壁材３３は、外装パネル３４の屋内側（外装パネル３４と内壁３２との間）に伝送部１１が配置してある。言い換えると、一部の外壁材３３は、外面３３ａを形成する外装パネル３４と、外装パネル３４の裏面に配置された伝送部１１とで構成される。そのため、伝送部１１は屋外側が外装パネル３４に覆われる。伝送部１１は、伝送方向（導光方向）を外面３３ａ（外装パネル３４の表面）に略平行にして（外面３３ａに沿って）配置してある。そして、伝送部１１の出光面１１ｂは外面３３ａに沿った左右寸法が、開口部３５の左右寸法と略同じ寸法になっている。
【００３８】
伝送部１１の出光面１１ｂは、正面視開口部３５の上縁と略同じ或いは上縁より下方に位置する。そして、伝送部１１の出光面１１ｂは、開口部３５の上縁より下方に位置する場合、伝送部１１を覆う外装パネル３４の下端と略同じ或いは下端より若干上方に位置する。
【００３９】
このように、採光装置１は、伝送部１１を外装パネル３４より屋内側で且つ内壁３２より屋外側に設けたことで、伝送部１１が建物３０の屋内外に露出し難く、且つ外壁や内壁３２に伝送部１１による凹凸を生じ難くすることができる。そのため、採光装置１は、建物３０の採光装置１（伝送部１１）の設置に伴う外観（美観）の変化を軽減し易くすることができる。言い換えると、採光装置１は、建物３０の外観（美観）を損ない難く、建物３０の既設の状態の美観を維持し易くすることができる。
【００４０】
なお、建物３０は、外装パネル３４のみで外壁の外面３３ａを形成したものに限らない。この場合、建物３０は、内壁３２の採光装置１を配置していない部位を、外装パネル３４と同じ模様や色等の表面を有する外装材（他の外壁材）で覆い、外装パネル３４の表面と前記外装材の表面とで外面３３ａを形成する。これによって、建物３０は、外壁の外面３３ａにおいて、外装パネル３４と外装材との外観の差（美観の低下）を生じ難くすることができる。
【００４１】
光照射部１５は、伝送部１１の伝送方向において、伝送部１１より下流に配置してあり、左右寸法が伝送部１１の出光面１１ｂと略同じ寸法になっている。そして、光照射部１５は、伝送部１１の出光面１１ｂと、光学的に接続してある。そのため、光照射部１５は、光入射面３ａで受けた太陽光が、連結部１０及び伝送部１１を介して、面状の状態で導入される。光照射部１５は、例えば窓部３６より屋外側等の、開口部３５の屋外側に配置してある。そして、光照射部１５は、採光部２からの光を、開口部３５から屋内に照射する。
【００４２】
光照射部１５は、例えば、図８（ａ）に示すように、開口部３５の窓部３６より屋外側に設けてある。そして、光照射部１５は、矩形状の枠部（不図示）と、光学的機能を有した複数のルーバー１６とを備える。枠部は矩形の内側に、複数のルーバー１６が配置される。ルーバー１６は、開口部３５の左右寸法と略同寸の長尺な板状になっている。そして、ルーバー１６は、上下に所定の間隔で並べて設けてあり、左右の端部で枠部に回動自在に支持される。この並ぶ複数のルーバー１６のうち、最も上方に位置するルーバー１６は、伝送部１１の下端の屋外側の縁の下方に位置し、最も下方に位置するルーバー１６は、伝送部１１の下端の屋外側の縁の下方に位置する。そして、複数のルーバー１６は下方に向かう程屋内側に位置して並ぶ。
【００４３】
更に、ルーバー１６は、光を反射可能な反射面を有する反射部（不図示）を備える。そのため、光照射部１５は、この反射面を窓部３６側に向ける等で、この反射面で伝送部１１からの光を窓部３６側に反射することで、この光を開口部３５（窓部３６）から屋内に供給する（照射する）ことができる。言い換えると、光照射部１５は、光照射方向を窓部３６側に向けることで、光照射部１５からの光を窓部３６を介して屋内に供給することができる。
【００４４】
そして、光照射部１５は、反射部の反射面の向きを変更する等で、開口部３５から屋内に照射する光の照射角度を変化させることができる。なお、ルーバー１６は、光を所定の向きに屈折可能な屈折部を有し、光照射部１５が、この屈折部による光の屈折によって、採光部２からの光を、開口部３５から屋内に照射してもよい。そして、ルーバー１６は、開口部３５を介して屋内外に流通する風の向きを変更させる風向板としての機能をさらに有したり、窓部３６（窓ガラス３６ａ）を保護する面格子としての機能を有したりしてもよい。
【００４５】
また、光照射部１５は、例えば、図８（ｂ）に示すように、窓部３６に設けてもよい。この場合、光照射部１５は、例えば、反射フィルム１７で形成される。反射フィルム１７は、窓部３６の窓ガラス３６ａの屋外側の面に取り付けてあり、この屋外側の面の略全体を屋外側から覆う。なお、反射フィルム１７は、窓ガラス３６ａに一体で設けてもよい。
【００４６】
反射フィルム１７は、窓ガラス３６ａと略同じ左右寸法の反射面１７ａを複数有する。反射面１７ａは上下に所定の間隔で並ぶ。そのため、光照射部１５は、伝送部１１からの光を各反射面１７ａで反射する。そして、反射面１７ａは、伝送部１１からの光を窓部３６側に反射し易くなっている。言い換えると、反射フィルム１７は、光照射方向が窓部３６の屋内側を向く。
【００４７】
これによって、光照射部１５は、伝送部１１からの光を開口部３５から屋内に供給することができる。なお、反射フィルム１７は、光を所定の向きに屈折可能な屈折面を有し、光照射部１５が、この屈折面による光の屈折によって、採光部２からの光を、開口部３５から屋内に照射してもよい。
【００４８】
また、光照射部１５は、例えば、図８（ｃ）に示すように、導光板１８で形成してもよい。光照射部１５の導光板１８は、矩形の板状になっており、開口部３５に配置してある。導光板１８は、板の上端面が伝送部１１の出光面１１ｂと略同じ寸法或いは若干小さい寸法になっている。そして、導光板１８の上端面は、伝送部１１の出光面１１ｂと光学的に接続してあり、伝送部１１からの光を受ける受光面になっている。
【００４９】
導光板１８は開口部３５の窓部３６から屋外側に所定の距離離れた位置に設けてあり、窓部３６の屋外側の略全体を覆う。そして、導光板１８は板面が窓部３６の窓ガラス３６ａと略平行に並ぶ。導光板１８の板面のうち、窓部３６側（屋内側）を向く板面は、導光板１８内の光を出射（照射）可能な照射面になっている。言い換えると、導光板１８は光照射方向が窓部３６側を向く。そのため、導光板１８は、伝送部１１からの光が受光面（上端面）から内部に入射されて、この内部の光が屋内側を向く板面から窓部３６を介して屋内に出射される（照射される）。これによって、光照射部１５は、伝送部１１からの光を開口部３５（窓部３６）から屋内に供給する（照射する）ことができる。
【００５０】
このように、採光装置１は、採光部２が面で採光している。そして、採光装置１は、採光部２と連結部１０と伝送部１１とが面で光学的に接続してある。そのため、採光装置１は、光ファイバー等の点で採光するものに比べて、例えば光ファイバーの端部の縁等の採光できない領域が占める範囲を低減し易くすることができる等で、採光効率を向上し易くすることができる。そして、採光装置１は、光ファイバー等の面に比べて狭い空間（点）で導光するものに比べて、例えば導光時の光の反射回数を低減して導光ロスを低減し易くなる等で、導光効率を向上し易くすることができる。
【００５１】
更に、採光装置１は、屋根３１に照射された光を、外壁に沿って伝送して、外壁の開口部３５から屋内に導入する。これによって、採光装置１は、太陽光等の自然光を屋内照明等として利用することができる。そして、採光装置１は、例えば日本国等の北半球であれば、光照射部１５を北側の開口部３５（窓部３６）の屋外側に設けることで、太陽光が照射され難い北側の開口部３５から、屋内に太陽光を照射し易くすることができる。
【００５２】
また、採光装置１は、屋内外を貫通する貫通孔等を形成しなくても、建物３０に設置して、採光部２の光を屋内に導入することができる。そのため、採光装置１は、前記貫通孔の形成や、前記貫通孔や伝送部１１を介した漏水に対する防水構造の増設等を行わずにすみ、施工時の手間を軽減し易くすることができる。そして、採光装置１は、伝送部１１を外装パネル３４が覆うため、風に飛ばされた落ち葉や巻き上げられた砂や雹や霰等の異物から、伝送部１１を保護し易くすることができる。これによって、採光装置１は、前記異物による伝送部１１の破損や変形等を生じ難くすることができて、この破損等の影響による導光性能の変化や導光効率の低下等を抑制し易くすることができる。
【００５３】
また、カバー部２０は、図５や図６に示すように、連結部１０を覆うと共に、下端部が外壁（外壁材３３）の上端（外装パネル３４の上端）を覆う。
【００５４】
例えば、図５に示すように、屋根３１の頂（棟）において、連結部１０を棟部材３８より屋内側に配置した場合を説明する。この場合、棟部材３８は、採光部２と連結部１０との接続部位及び連結部１０を覆って配置してあり、前記接続部位及び連結部１０を外観に露出させない。そのため、連結部１０等を覆う棟部材３８が、カバー部２０になっている。更に、棟部材３８は、外壁（外装パネル３４）の上端を覆い、且つ下端部が外面３３ａ（外装パネル３４の表面）に当接或いは近接して位置している。そのため、棟部材３８は、連結部１０と伝送部１１との接続部位を覆っている。
【００５５】
このように、採光装置１は、連結部１０や連結部１０との各接続部位等を棟部材３８で覆うことで、前記異物等から、連結部１０や前記各接続部位等を保護することができる。これによって、採光装置１は、連結部１０や前記各接続部位等において、前記異物等による破損や変形等を生じ難くすることができて、この破損等の影響による導光性能の変化や導光効率の低下等を抑制し易くすることができる。
【００５６】
そして、採光装置１は、棟部材３８で外壁（外装パネル３４）の上端を覆ったことで、外装パネル３４の上方に隙間を生じ難くすることができる。これによって、採光装置１は、簡素な構成で外壁の上端側に防水構造を形成し易くすることができて、外壁の上端側から屋内側への雨水等の流入を抑制し易くすることができる。
【００５７】
また、例えば、図６に示すように、連結部１０を棟部材３８より屋外側に配置した場合を説明する。この場合、棟部材３８とは別にカバー部２０を設けてある。カバー部２０は、連結部１０と、連結部１０の二箇所の前記接続部位と、連結部１０より屋内側の棟部材３８とを覆う。そのため、カバー部２０は、前記屋内側の棟部材３８の代わりに棟として機能する。更に、カバー部２０は下端部が外壁の外面３３ａより屋外側で、且つ外壁（外装パネル３４）の上端より下方に位置する。
【００５８】
このように、採光装置１は、カバー部２０で連結部１０や前記接続部位等を覆うことで、異物から連結部１０や前記各接続部位等を保護することができる。そのため、採光装置１は、連結部１０や前記各接続部位等において、前記異物による破損や変形を抑制し易くすることができて、この破損等の影響による導光性能の変化や導光効率の低下等を抑制し易くすることができる。
【００５９】
更に、採光装置１は、外装パネル３４の上端側を覆ってカバー部２０を配置したことで、棟より屋外側の連結部１０を外壁の屋外側の伝送部１１と接続するための外壁と棟部材３８との隙間を、カバー部２０で覆い隠すことができる。これによって、採光装置１は、前記隙間（外壁の上端側）から屋内側への雨水等の流入を抑制し易くすることができる。
【００６０】
もちろん、カバー部２０は、連結部１０を屋外側に配置した棟部材３８（棟の一部）だけでなく、棟部材３８で形成した棟の略全体を覆い、新たな棟として機能可能なものであってもよい。この場合、採光装置１は、棟の一部におけるカバー部２０による突出等での外観の差異を軽減し易くすることができる。
【００６１】
なお、本発明は、前述の実施形態の構成のみに限定されるものではなく、本発明の意図する範囲内であれば、適宜の設計変更を行うことや、各例の構成を組み合わせて用いることが可能である。例えば、採光装置１は、採光板３の端面を光入射面３ａとしたものであってもよい。この場合でも、採光部２が面で採光するため、光ファイバー等の点やこの点を集めた状態で採光するものに比べて、採光効率を向上し易くすることができる。また例えば、採光装置１は、複数の採光部２や複数の連結部１０から一つの伝送部１１に光を導入したり、複数の伝送部１１から一つの光照射部１５に光を導入したりしてもよい。また例えば、一つの連結部１０から分岐する等で複数の伝送部１１に光を導入したり、一つの伝送部１１から分岐する等で複数の光照射部１５に光を導入したりしてもよい。また例えば、採光部２は矩形状に限らない。
【００６２】
また例えば、採光装置１は、連結部１０や伝送部１１等に用いる光ダクトが、内面の略全体を鏡面状としたものに限らない。この場合としては、例えば、前記光ダクトが内部に光学レンズ等を有して、この光学レンズ等によって内面への光の拡散（照射）を抑制する等で、内面の鏡面状とする部位を規定して、一部を鏡面状としたもの等であってもよい。また例えば、採光装置１は、連結部１０を採光板３や伝送部１１と一体に設けたものや、伝送部１１と光照射部１５とを同一の導光板で形成したもの等であってもよい。
【００６３】
また例えば、採光装置１は、伝送部１１が外装パネル３４に一体で設けられたものや、施工前に外装パネル３４に取付可能なもの等であってもよい。この場合、採光装置１は、施工時の伝送部１１や外装パネル３４の建物３０への取付を纏めて行うことができて、施工時の手間を軽減し易くすることができる。
【００６４】
また例えば、採光装置１は、採光板３を複数備えてもよい。この場合、図９に示すように、板面を略平行にして重ねて配置してもよい。そして、採光装置１は、前記重ねて配置した場合、屋内側の採光板３の突起６が、屋外側の採光板３の突起６に比べて、斜辺の鋭角の角度を小さくしたり、底辺の寸法を大きくしたりする等が好ましい。このように角度や寸法を異ならせることで、採光装置１は、屋外側と屋内側とで採光板３が突起６で反射可能な光の角度（反射角）を異ならせることができて、採光板３の両方ともを透過して反射部８に至る光を低減し易くすることができる。これによって、採光装置１は、採光効率を向上し易くすることができる。もちろん、採光装置１は、複数の採光板３を重ねるにあたって、板面を略平行したものに限らず、太陽の季節や時間等での照射角の変化に対応させる等で、採光板３毎に屋根３１に対する設置角度を異ならせてもよい。
【符号の説明】
【００６５】
１  採光装置
３  採光板
３ａ  光入射面
１０  連結部
１１  伝送部
１５  光照射部
２０  カバー部
３０  建物
３１  屋根
３２  内壁
３３  外壁材
３４  外装パネル
３５  開口部
３６  窓部
３８  棟部材
【図１】
0005923706.tif 000002
【図２】
0005923706.tif 000003
【図３】
0005923706.tif 000004
【図４】
0005923706.tif 000005
【図５】
0005923706.tif 000006
【図６】
0005923706.tif 000007
【図７】
0005923706.tif 000008
【図８】
0005923706.tif 000009
【図９】
0005923706.tif 000010